(57)【特許請求の範囲】
【請求項１】
硬貨を出金する硬貨出金機と、該硬貨出金機を制御する制御部を有する自動取引装置において、
前記硬貨出金機の排出口内に離脱自在に設けられ、出金された硬貨を収納する硬貨取り皿と、
前記硬貨取り皿の有無を検出するセンサを備え、
前記制御部は、前記センサの出力に基づいて前記硬貨取り皿が戻っていることを確認した後に、処理した物品を排出する
ことを特徴とする自動取引装置。
【請求項２】
前記処理した物品は、カード及び通帳のうちの少なくとも一方である
ことを特徴とする請求項１に記載の自動取引装置。
【発明の詳細な説明】
【０００１】
【発明の属する技術分野】
この発明は、金融機関で使用する自動取引装置に係り、特に、硬貨取引に関する自動取引装置に関する。
【０００２】
【従来の技術】
従来、自動取引装置では硬貨取引時に、全取引硬貨を硬貨挿入／排出口に直接挿入／取出していた。
【０００３】
【発明が解決しようとする課題】
しかしながら、従来の自動取引装置では、取出し時の硬貨数が多い場合、一度に全ての硬貨を取出すことは難しく、硬貨取り忘れ等の原因となっていた。また、硬貨挿入／排出口が小さい場合、手の大きな人は硬貨口に手が入れずらいという問題があった。
【０００４】
この発明は上記のような問題点を解消するためになされたもので、硬貨出金時に多量の硬貨を一度に取出すことができ、硬貨取り忘れがなくなく、また、硬貨挿入／排出口が小さくても、顧客の手の大きさに関係なく硬貨を取り出すことができる自動取引装置を提供することを目的とする。
【０００５】
【課題を解決するための手段】
本発明に係る自動取引装置は、硬貨を出金する硬貨出金機と、該硬貨出金機を制御する制御部を有する自動取引装置において、前記硬貨出金機の排出口内に離脱自在に設けられ、出金された硬貨を収納する硬貨取り皿と、前記硬貨取り皿の有無を検出するセンサを備え、前記制御部は、前記センサの出力に基づいて前記硬貨取り皿が戻っていることを確認した後に、処理した物品を排出するものである。
【０００６】
また、硬貨取り皿を硬貨挿入／排出口内にロックするロック機構を備え、制御部は、硬貨を入金するときは硬貨取り皿のロックを閉じ、出金するときに前記硬貨取り皿のロックを開き、前記硬貨取り皿を前記硬貨挿入／排出口内に戻したときに前記硬貨取り皿を硬貨挿入／排出口内にロックするものである。
【０００７】
また、音声ガイド部と、硬貨取り皿の有無を検知するセンサと、を備え、制御部は、前記センサにより前記硬貨取り皿が無いと検知されたとき、１回目は前記音声ガイド機により、通常の音量により前記取り皿を戻すよう要求させ、２回目以降は大音量で要求させるものである。
【０００８】
また、硬貨取り皿の有無を検知するセンサを備え、制御部は、前記センサの出力に基づいてにより前記硬貨取り皿が戻っていると確認した後に、カード／通帳を返却させるものである。
【０００９】
また、硬貨取り皿は硬貨挿入／排出口の外側近傍に柔軟な連結部材で連結されたものである。
【００１０】
また、紙幣入出金機及び硬貨入出金機と、前記紙幣入出金機及び硬貨入出金機を制御する制御部とを有する自動取引装置において、前記硬貨入出金機の硬貨挿入／排出口内から上昇／下降させる昇降機構に傾斜自在に設けられ、出金された硬貨を収納する硬貨取り皿を備え、前記制御部が、前記硬貨が前記硬貨取り皿に排出されたときに、前記昇降機構により前記硬貨取り皿を上昇させ、その後で顧客が前記硬貨取り皿を傾斜させて前記硬貨を取出すものである。
【００１１】
【発明の実施の形態】
実施の形態１．
図１は実施の形態１を示す自動取引装置の外観図、図２は自動取引装置内部のブロック図、図３、図４は動作を示すフローチャートである。
図１において、１は自動取引装置本体、２は硬貨入出金機２５に対して硬貨の挿入／排出を行う硬貨挿入／排出口、３は紙幣入出金機２６に対して紙幣の挿入／排出を行う紙幣挿入／排出口、４は通帳記帳機２７に対して取引通帳を挿入／排出する通帳を挿入／排出口、５はカードリーダプリンタ２８に対してカード挿入／排出、明細書の排出を行うカード挿入／排出口、６は顧客への誘導や顧客が取引指示を行うタッチパネル付き操作・表示部、７は貨幣を取出すための取り皿であり、硬貨挿入／排出口２に離脱自在に設けられている。
【００１２】
図２において２３は操作を音声でガイドする音声ガイド部、２４は自動取引装置での取引データ等をホストコンピュータとの間で通信する上位インターフェース、２５は入金された硬貨の鑑別、計数及び指定金額の硬貨の出金を硬貨取り皿７に行う硬貨入出金機、２６は入金された紙幣の鑑別、計数及び指定金額の紙幣の出金を行う紙幣入出金機、２７は取引通帳に取引内容を印字する通帳記帳機、２８は取引カードのデータを読み取るとともに、取引明細書を作成するカードリーダプリンタ、２１は上記の各ユニットを制御する制御部である。
【００１３】
次に、この発明に係る自動取引装置の動作を図３、図４により説明する。なお、動作の制御は主として制御部２１が行う。まず、顧客が自動取引装置の前に立ち取引を開始する（Ｓ１）。そして、顧客が操作・表示部６を操作すると、入金取引かどうかを判断する。入出金取引でない場合は通常取引処理を行い終了する（Ｓ１１）。入出金取引の場合、音声ガイド部２３、または、操作・表示部６のガイドによりカードをカードリーダプリンタ２８のカード挿入／排出口５に、通帳を通帳記帳機２７の通帳挿入／排出口４に通帳を挿入する（Ｓ３）と、操作・表示部６に暗証番号入力ボタンが表示され、暗証番号を入力する（Ｓ４）。
【００１４】
そして、暗証番号を入力すると、操作・表示部６に入金か出金の選択ボタンが表示される（Ｓ５）。入金を選択した場合は、紙幣及び硬貨挿入／排出口３、２のシャッタを開き（Ｓ６）。顧客が顧客が紙幣及び硬貨を挿入する（Ｓ７）。そして、紙幣及び硬貨挿入／排出口３、２のシャッタを閉じる（Ｓ８）。紙幣入出金機２６、硬貨入出金機２５は各々入金された紙幣及び硬貨の鑑別、計数を行い、上位インターフェイス２４を介してホストコンピュータと通信をしてデータ処理後、カード／通帳を返却し（Ｓ９）、取引を終了する（Ｓ１０）。
【００１５】
出金を選択した場合は、金額を操作・操作・表示部６から入力する（Ｓ１２）と、上位インターフェース２４を介してホストコンピュータと通信をしてデータ処理後、カードリーダプリンタ２８が明細票を印字し、カードと明細票を排出し、通帳記帳機２７が記帳した通帳を排出する（Ｓ１３）。次に、硬貨出金が必要か不要かを判断し（Ｓ１４）、硬貨出金が必要な場合、紙幣を紙幣挿入／排出口３ヘ、硬貨を硬貨挿入／排出口２内の硬貨取り皿７へ排出し（Ｓ１５）、紙幣及び硬貨挿入／排出口３、２のシャッタを開く（Ｓ１６）。顧客が紙幣を取出し、硬貨を硬貨取り皿７ごと取出す（Ｓ１７）。そして、硬貨取り皿７を硬貨挿入／排出口２に戻す（Ｓ１８）と、紙幣及び硬貨挿入／排出口３、２のシャッタを閉じ（Ｓ１９）、取引が終了する（Ｓ２０）。
【００１６】
硬貨出金が不要な場合は、紙幣を紙幣挿入／排出口３ヘ排出し（Ｓ２１）、挿入／排出口３のシャッタを開く（Ｓ２２）。そして、顧客が紙幣を取出す（Ｓ２３）と、紙幣挿入／排出口３のシャッタを閉じ（Ｓ２４）、取引が終了する（Ｓ２５）。
【００１７】
以上のように、硬貨取り皿７ごと硬貨を取出すことにより硬貨出の硬貨を一度に取出すことができ、硬貨取り忘れがなくなり、また、挿入／排出口が小さくても、顧客の手の大きさに関係なく硬貨を取出すことができる。
【００１８】
実施の形態２．
図５は実施の形態２を示す自動取引装置の外観図、図６は自動取引装置内部のブロック図、図７、８は動作を示すフローチャートである。
図５、図６において実施の形態１の図１、図２と同一部分には同じ符号を付し、説明を省略する。８は硬貨取り皿７を硬貨を取出すとき以外は、取出せないようにするためのロック機構である。
【００１９】
次に、この発明に係る自動取引装置の動作を図７、図８により説明する。まず、顧客が自動取引装置の前に立ち取引を開始する（Ｓ１０１）。そして、顧客が操作・表示部６を操作すると、入金取引かどうかを判断する（１０２）。入出金取引でない場合は通常取引処理を行い終了する（Ｓ１１２）。入出金取引の場合、カード／通帳を挿入する（Ｓ１０３）と、操作・表示部６に暗証番号入力ボタンが表示され、暗証番号を入力する（Ｓ１０４）。
【００２０】
そして、暗証番号を入力すると、操作・表示部６に入金か出金の選択ボタンが表示される（Ｓ１０５）。入金を選択した場合は、硬貨取り皿ロック機構８を閉にする（Ｓ１０６）。次に、紙幣及び硬貨挿入／排出口３、２のシャッタを開き（Ｓ１０７）。顧客が顧客が紙幣及び硬貨を挿入する（Ｓ１０８）。そして、紙幣及び硬貨挿入／排出口３、２のシャッタを閉じる（Ｓ１０９）。紙幣入出金機２６、硬貨入出金機２５は各々入金された紙幣及び硬貨の鑑別、計数を行い、上位インターフェース２４を介してホストコンピュータと通信をしてデータ処理後、カード／通帳を返却し（Ｓ１１０）、取引を終了する（Ｓ１１１）。
【００２１】
出金を選択した場合は、金額を操作・表示部６から入力する（Ｓ１１３）と、上位インターフェース２４を介してホストコンピュータと通信をしてデータ処理後、カード／通帳を排出する（Ｓ１１４）。次に、硬貨出金が必要か不要かを判断し（Ｓ１１５）、硬貨出金が必要な場合、紙幣を紙幣挿入／排出口３ヘ、硬貨を硬貨挿入／排出口２内の硬貨取り皿７へ排出し（Ｓ１１６）、硬貨取り皿ロック機構８を開き（Ｓ１１７）、紙幣及び硬貨挿入／排出口３、２のシャッタを開く（Ｓ１１８）。顧客が紙幣を取出し、硬貨を硬貨取り皿７ごと取出す（Ｓ１１９）。そして、硬貨取り皿７を硬貨挿入／排出口２に戻し（Ｓ１２０）、硬貨取り皿ロック機構８を閉じ（Ｓ１２１）、紙幣及び硬貨挿入／排出口３、２のシャッタを閉じ（Ｓ１２２）、取引が終了する（Ｓ１２３）。
【００２２】
硬貨出金が不要な場合は、紙幣を紙幣挿入／排出口３ヘ排出し（Ｓ１２４）、挿入／排出口３のシャッタを開く（Ｓ１２５）。そして、顧客が紙幣を取出す（Ｓ１２６）と、紙幣挿入／排出口３のシャッタを閉じ（Ｓ１２７）、取引が終了する（Ｓ１２８）。
【００２３】
以上のように、第２の実施例によれば、入金取引中に誤って硬貨取り皿を取り出すことがなくなり、硬貨取り皿の紛失を防ぐことができる。
【００２４】
実施の形態３．
図９は実施の形態３を示す自動取引装置の外観図、図１０は自動取引装置内部のブロック図、図１１、１２は動作を示すフローチャートである。
図９、図１０において実施の形態２の図５、図６と同一部分には同じ符号を付し、説明を省略する。９は硬貨挿入／排出口２に設けられた硬貨取り皿７の有無を感知するセンサである。
【００２５】
次に、この発明に係る自動取引装置の動作を図１１、図１２により説明する。
なお、入出金取引以外の取引及び入金取引、紙幣出金取引は実施の形態２と同じであり説明を省略する。
まず、顧客が自動取引装置の前に立ち取引を開始する（Ｓ２０１）。そして、顧客が操作・表示部６を操作すると、入金取引かどうかを判断する（２０２）。入出金取引の場合、カード／通帳を挿入する（Ｓ２０３）と、操作・表示部６に暗証番号入力ボタンが表示され、暗証番号を入力する（Ｓ２０４）。
そして、暗証番号を入力すると、操作・表示部６に入金か出金の選択ボタンが表示される（Ｓ２０５）。
【００２６】
出金を選択した場合は、金額を操作・表示部６から入力する（Ｓ２１３）と、上位インターフェース２４を介してホストコンピュータと通信をしてデータ処理後、カード／通帳を排出する（Ｓ２１４）。次に、硬貨出金が必要か不要かを判断し（Ｓ２１５）、硬貨出金が必要な場合、紙幣を紙幣挿入／排出口３ヘ、硬貨を硬貨挿入／排出口２内の硬貨取り皿７へ排出し（Ｓ２１６）、硬貨取り皿ロック機構８を開き（Ｓ２１７）、紙幣及び硬貨挿入／排出口３、２のシャッタを開く（Ｓ２１８）。顧客が紙幣を取出し、硬貨を硬貨取り皿７ごと取出す（Ｓ２１９）。
【００２７】
次に、硬貨取り皿７を戻してあるかどうかをセンサ９の出力により判断する（Ｓ２２１）。硬貨取り皿が戻っている場合、硬貨取り皿ロック機構８を閉じ（Ｓ１２１）、紙幣及び硬貨挿入／排出口３、２のシャッタを閉じ（Ｓ２２２）、取引が終了する（Ｓ２２３）。
【００２８】
硬貨取り皿７が戻っていない場合は、硬貨取り皿７の戻し要求が何回目かを判断する（Ｓ２２４）。１回目の場合は、音声ガイド部２３により通常の音量にて硬貨取り皿７を戻すように要求し（Ｓ２２５）、硬貨取り皿７が戻されたことをセンサ９にて感知した場合、Ｓ２２１以降の処理へ移る。そして、
２〜ｎ−１回目の場合、大音量にて硬貨取り皿７を戻すように要求し（Ｓ２２６）、
硬貨取り皿７が戻されたことをセンサ９にて感知した場合、Ｓ２２１以降の処理へ移る。ｎ回目の場合は、監視センタヘ硬貨取り皿７が戻されていない旨アラームで通知し（Ｓ２２７）、取引を終了する（Ｓ２２８）。
【００２９】
以上のように、出金取引後に硬貨取り皿７を戻し忘れている場合、硬貨取り皿７を戻すよう要求し、要求が複数回の場合、大音量で硬貨取り皿７を戻すよう要求することにより、硬貨取り皿７を紛失することを防ぐことができる。
【００３０】
実施の形態４．
実施の形態３では、硬貨取り皿の戻し忘れの場合、音声により硬貨取り皿の戻しを要求したが、本実施の形態は、さらに、硬貨取り皿を戻すまで、カード／通帳を返却しないようにしたものである。構成は実施の形態３と同じであり、説明を省略し、動作について図１３、図１４により説明する。
なお、入出金取引以外の取引及び入金取引、紙幣出金取引は実施の形態２と同じであり説明を省略する。
【００３１】
まず、顧客が自動取引装置の前に立ち取引を開始する（Ｓ３０１）。そして、顧客が操作・表示部６を操作すると、入金取引かどうかを判断する（３０２）。入出金取引の場合、カード／通帳を挿入する（Ｓ３０３）と、操作・表示部６に暗証番号入力ボタンが表示され、暗証番号を入力する（Ｓ３０４）。
そして、暗証番号を入力すると、操作・表示部６に入金か出金の選択ボタンが表示される（Ｓ３０５）。
【００３２】
出金を選択した場合は、金額を操作・表示部６から入力する（Ｓ３１３）。次に、硬貨出金が必要か不要かを判断し（Ｓ３１４）、硬貨出金が必要な場合、紙幣を紙幣挿入／排出口３ヘ、硬貨を硬貨挿入／排出口２内の硬貨取り皿７へ排出し（Ｓ３１５）、硬貨取り皿ロック機構８を開き（Ｓ３１６）、紙幣及び硬貨挿入／排出口３、２のシャッタを開く（Ｓ３１７）。顧客が紙幣を取出し、硬貨を硬貨取り皿７ごと取出す（Ｓ３１８）。
【００３３】
次に、硬貨取り皿７を戻してあるかどうかをセンサ９の出力により判断する（Ｓ３１９）。硬貨取り皿が戻っている場合、上位インターフェース２４を介してホストコンピュータと通信をしてデータ処理後、カード／通帳を返却し（Ｓ３２０）、硬貨取り皿ロック機構８を閉じ（Ｓ３２１）、紙幣及び硬貨挿入／排出口３、２のシャッタを閉じ（Ｓ３２２）、取引が終了する（Ｓ３２３）。
【００３４】
硬貨取り皿７が戻っていない場合は、硬貨取り皿７の戻し要求が何回目かを判断する（Ｓ３２４）。１回目の場合は、音声ガイド部２３により通常の音量にて硬貨取り皿７を戻すように要求し（Ｓ３２５）、硬貨取り皿７が戻されたことをセンサ９にて感知した場合、Ｓ３２０以降の処理へ移る。そして、２〜ｎ−１回目の場合、大音量にて硬貨取り皿７を戻すように要求し（Ｓ３２６）、硬貨取り皿７が戻されたことをセンサ９にて感知した場合、Ｓ３２０以降の処理へ移る。
【００３５】
以上のように、出金取引後に硬貨取り皿７を戻し忘れた場合、硬貨取り皿７を戻すまでカード／通帳を返却しないようにし、硬貨取り皿７の持ち出し等による紛失を防ぐことができる。
【００３６】
実施の形態５．
図１５は実施の形態５を示す自動取引装置の外観図である。
図において実施の形態１の図１と同一部分には同じ符号を付し、説明を省略する。１０は硬貨取り皿７を持ち出せないようにするための柔軟な部材である鎖である。
このような構成において、自動取引装置本体１と硬貨取り皿７を鎖１０でつなぐことにより硬貨取り皿７が持ち出されることを防ぐ。
【００３７】
以上のように、自動取引装置本体１と硬貨取り皿７を鎖１０でつなぐことにより硬貨取り皿７の紛失を防ぐことができる。
【００３８】
実施の形態６．
図１６は実施の形態６を示す自動取引装置の外観図、図１７は自動取引装置内部のブロック図、図１８は動作の説明図、図１９、２０は動作を示すフローチャートである。
図１６、図１７において実施の形態１の図１、図２と同一部分には同じ符号を付し、説明を省略する。図において１１は硬貨取り皿７を硬貨挿入／排出口２から自動的に上昇／下降する硬貨取り皿上昇／下降機構であり、支持部材１１ａ、１１ｂと硬貨取り皿７を傾斜自在に支持する回転軸部１１ｃ及び支持部材１１ａ、１１ｂの駆動部（図示せず）から構成される。
【００３９】
次に、動作概略を図１８により説明する。通常、または、硬貨が排出されるときは、硬貨取り皿７は自動取引装置本体１の硬貨挿入／排出口２の内部にあり（図１８（ａ））、硬貨の排出が完了すると、硬貨取り皿７が傾斜自在に支持された硬貨取り皿上昇／下降機構１１を上昇させ（図１８（ｂ））、上昇が止まったとき、顧客は硬貨取り皿７を傾け硬貨を取り出す（図１８（ｃ））。硬貨を取出した後、硬貨取り皿上昇／下降機構１１を下降させ硬貨挿入／排出口２の内部に収納させる（図１８（ａ））。
【００４０】
次に、動作について図１９、図２０により説明する。
なお、入出金取引以外の取引及び入金取引、紙幣出金取引は実施の形態１と同じであり説明を省略する。
まず、顧客が自動取引装置の前に立ち取引を開始する（Ｓ４０１）。そして、顧客が操作・表示部６を操作すると、入金取引かどうかを判断する（Ｓ４０２）。入出金取引の場合、カード／通帳をカードリーダプリンタ２８のカード挿入／排出口５に、通帳を通帳記帳機２７の通帳挿入／排出口４に通帳を挿入する（Ｓ４０３）と、操作・表示部６に暗証番号入力ボタンが表示され、暗証番号を入力する（Ｓ４０４）。
【００４１】
そして、暗証番号を入力すると、操作・表示部６に入金か出金の選択ボタンが表示される（Ｓ４０５）。出金を選択した場合は、金額を操作・操作・表示部６から入力する（Ｓ４１２）と、上位インターフェース２４を介してホストコンピュータと通信をしてデータ処理後、カードリーダプリンタ２８が明細票を印字し、カードと明細票を排出し、通帳記帳機２７が記帳した通帳を排出する（Ｓ４１３）。  次に、硬貨出金が必要か不要かを判断し（Ｓ４１４）、硬貨出金が必要な場合、紙幣を紙幣挿入／排出口３ヘ、硬貨を硬貨挿入／排出口２内の硬貨取り皿７へ排出し（Ｓ４１５）、紙幣及び硬貨挿入／排出口３、２のシャッタを開く（Ｓ４１６）。
【００４２】
次に、硬貨取り皿上昇／下降機構１１を上昇させる（Ｓ４１７）。  そして、図１８（ｃ）に示すように顧客が硬貨取り皿７を傾けることにより硬貨を取出し、紙幣は通常通り取出す（Ｓ４１８）。次に、硬貨取り皿７を硬貨取り皿上昇／下降機構１１により硬貨挿入／排出口２へ収納する（Ｓ４１９）。硬貨取り皿７が硬貨挿入／排出口２に収納されると、紙幣及び硬貨挿入／排出口３、２のシャッタを閉じ（Ｓ４２０）、取引を終了する（Ｓ４２１）。
【００４３】
以上のように、硬貨出金時に硬貨取り皿を装置から取り外すことがないため、硬貨取り皿７の紛失、戻し忘れを防ぐことができる。
【００４４】
【発明の効果】
本発明に係る自動取引装置は、硬貨を出金する硬貨出金機と、該硬貨出金機を制御する制御部を有する自動取引装置において、前記硬貨出金機の排出口内に離脱自在に設けられ、出金された硬貨を収納する硬貨取り皿と、前記硬貨取り皿の有無を検出するセンサを備え、前記制御部は、前記センサの出力に基づいて前記硬貨取り皿が戻っていることを確認した後に、処理した物品を排出するので、硬貨出の硬貨を一度に取出すことができ、硬貨取り忘れがなくなり、また、挿入／排出口が小さくても、顧客の手の大きさに関係なく硬貨を取出すことができる。
【００４５】
また、硬貨取り皿を硬貨挿入／排出口内にロックするロック機構を備え、制御部は、硬貨を入金するときは硬貨取り皿のロックを閉じ、出金するときに前記硬貨取り皿のロックを開き、前記硬貨取り皿を前記硬貨挿入／排出口内に戻したときに前記硬貨取り皿を硬貨挿入／排出口内にロックするので、入金取引中に誤って硬貨取り皿を取り出すことがなくなり、硬貨取り皿の紛失を防ぐことができる。
【００４６】
また、音声ガイド部と、硬貨取り皿の有無を検知するセンサと、を備え、制御部は、前記センサにより前記硬貨取り皿が無いと検知されたとき、１回目は前記音声ガイド機により、通常の音量により前記取り皿を戻すよう要求させ、２回目以降は大音量で要求させるので、硬貨取り皿を紛失することを防ぐことができる。
【００４７】
また、硬貨取り皿の有無を検知するセンサを備え、制御部は、前記センサの出力に基づいてにより前記硬貨取り皿が戻っていると確認した後に、カード／通帳を返却させるので、硬貨取り皿の持ち出し等による紛失を防ぐことができる。
【００４８】
また、硬貨取り皿は硬貨挿入／排出口の外側近傍に柔軟な連結部材で連結されたので、硬貨取り皿の紛失を防ぐことができる。
【００４９】
また、紙幣入出金機及び硬貨入出金機と、前記紙幣入出金機及び硬貨入出金機を制御する制御部とを有する自動取引装置において、前記硬貨入出金機の硬貨挿入／排出口内から上昇／下降させる昇降機構に傾斜自在に設けられ、出金された硬貨を収納する硬貨取り皿を備え、前記制御部が、前記硬貨が前記硬貨取り皿に排出されたときに、前記昇降機構により前記硬貨取り皿を上昇させ、その後で顧客が前記硬貨取り皿を傾斜させて前記硬貨を取出すので、硬貨取り皿を装置から取り外すことがないため、硬貨取り皿７の紛失、戻し忘れを防ぐことができる。
【図面の簡単な説明】
【図１】この発明の実施の形態１を示す自動取引装置の外観図である。
【図２】この発明の実施の形態１を示す自動取引装置内部のブロック図である。
【図３】この発明の実施の形態１を示す自動取引装置の動作を示すフローチャートである。
【図４】この発明の実施の形態１を示す自動取引装置の動作を示すフローチャートである。
【図５】この発明の実施の形態２を示す自動取引装置の外観図である。
【図６】この発明の実施の形態２を示す自動取引装置内部のブロック図である。
【図７】この発明の実施の形態２を示す自動取引装置の動作を示すフローチャートである。
【図８】この発明の実施の形態２を示す自動取引装置の動作を示すフローチャートである。
【図９】この発明の実施の形態３を示す自動取引装置の外観図である。
【図１０】この発明の実施の形態３を示す自動取引装置内部のブロック図である。
【図１１】この発明の実施の形態３を示す自動取引装置の動作を示すフローチャートである。
【図１２】この発明の実施の形態３を示す自動取引装置の動作を示すフローチャートである。
【図１３】この発明の実施の形態４を示す自動取引装置の動作を示すフローチャートである。
【図１４】この発明の実施の形態４を示す自動取引装置の動作を示すフローチャートである。
【図１５】この発明の実施の形態５を示す自動取引装置の外観図である。
【図１６】この発明の実施の形態６を示す自動取引装置の外観図である。
【図１７】この発明の実施の形態６を示す自動取引装置内部のブロック図である。
【図１８】この発明の実施の形態６を示す自動取引装置の動作を示す説明図である。
【図１９】この発明の実施の形態６を示す自動取引装置の動作を示すフローチャートである。
【図２０】この発明の実施の形態６を示す自動取引装置の動作を示すフローチャートである。
【符号の説明】
１  自動取引装置本体
２  硬貨挿入／排出口
３  紙幣挿入／排出口
４  通帳挿入／排出口
５  カード挿入／排出口
６  操作・表示部
７  硬貨取り皿
８  ロック機構
９  センサ
１０  鎖
１１  硬貨取り皿上昇／下降機構
２３  音声ガイド部
２４  上位インターフェース
２５  硬貨入出金機
２６  紙幣入出金機
２７  通帳記帳機
２８  カードリーダプリンタ
２１  制御部
【図１】
0004691828.tif 000002
【図２】
0004691828.tif 000003
【図３】
0004691828.tif 000004
【図４】
0004691828.tif 000005
【図５】
0004691828.tif 000006
【図６】
0004691828.tif 000007
【図７】
0004691828.tif 000008
【図８】
0004691828.tif 000009
【図９】
0004691828.tif 000010
【図１０】
0004691828.tif 000011
【図１１】
0004691828.tif 000012
【図１２】
0004691828.tif 000013
【図１３】
0004691828.tif 000014
【図１４】
0004691828.tif 000015
【図１５】
0004691828.tif 000016
【図１６】
0004691828.tif 000017
【図１７】
0004691828.tif 000018
【図１８】
0004691828.tif 000019
【図１９】
0004691828.tif 000020
【図２０】
0004691828.tif 000021